(57)【要約】【課題】センターケースが大型化しても遊技領域の左右周縁部分の有効利用を図る。【解決手段】遊技領域９の左右側縁に設けるサイドランプ部材２６は、取付基板３５の上部に、上面が遊技領域の中央下部に向かって下り傾斜した案内樋３８を設け、該案内樋の下方であって遊技領域中央側に延出した取付基板の延出部に側方入賞具４０を設け、案内樋の傾斜下端から遊技領域の中央下部に向けて球流下案内釘列６３を植設し、球流下案内釘列の傾斜下端の横に遊技球が落下し得る球流下空部６４を形成した。【選択図】　　図２
2004016491.tif 000002
【特許請求の範囲】
【請求項１】
遊技盤の表面に区画部材により遊技領域を区画形成し、該遊技領域内の略中央部分にセンターケースを、該センターケースよりも下方に入賞具を、センターケースの下部両側方であって遊技領域の周縁部にサイドランプ部材をそれぞれ配設するとともに、該サイドランプ部材、センターケース、入賞具の取付部分を除いた遊技領域内に釘を複数本植設し、遊技領域の上部に飛入した遊技球が釘に当たりながら流下し、その流下途中で入賞具に入賞可能な遊技機において、
上記サイドランプ部材は、遊技盤表面に取り付ける取付基板と、該取付基板の前面に設けられたレンズ部材と、該レンズ部材の後方に設けられた発光源と、取付基板の上部に突設されて上面が遊技領域の中央下部に向かって下り傾斜した案内樋と、該案内樋の下方であって遊技領域中央側に延出した取付基板の延出部に設けられた側方入賞具と、を備え、
サイドランプ部材の案内樋の傾斜下端から遊技領域の中央下部に向けて複数本の釘を、遊技球が落下したり止まることなく列設方向に流下する間隔で植設して球流下案内釘列を構成し、
上記側方入賞具とレンズ部材の側面との間隔を遊技球の直径よりも広く設定することにより、取付基板上の当該間隔内を通る球流下路を形成し、
上記球流下案内釘列の傾斜下端の横に遊技球が落下し得る球流下空部を形成するとともに、該球流下空部内を落下した遊技球を誘導する釘を植設可能な釘植設領域を上記側方入賞具の上端と案内樋の傾斜下端との間に形成したことを特徴とする遊技機。
【請求項２】
前記レンズ部材は、前面から遊技領域側の側面を経て取付基板表面に一連に続く面が断面形状略Ｓ字状の曲面で構成されていることを特徴とする請求項１に記載の遊技機。
【請求項３】
前記案内樋を取付基板と一体成型し、該案内樋の下方に、別個に成型したレンズ部材を取り付けたことを特徴とする請求項１または請求項２に記載の遊技機。
【請求項４】
前記案内樋の傾斜上端を取付基板の側縁よりも突出させ、該突出部を区画部材に当接させた状態でサイドランプ部材を遊技盤に取り付けたことを特徴とする請求項１から請求項３のいずれかに記載の遊技機。
【請求項５】
左右幅が最大となる遊技領域の周縁部分に案内樋を位置させるとともに、球流下案内釘列の傾斜下端の下方に側方入賞具を配置し、釘植設領域内に、球流下案内釘列の傾斜下端から落下した遊技球を上記側方入賞具に流下誘導可能な釘を植設したことを特徴とする請求項１から請求項４のいずれかに記載の遊技機。
【請求項６】
前記取付基板に、区画部材の延在方向に沿って前記延出部を複数形成し、各延出部に、レンズ部材の側面との間隔を遊技球の直径よりも広く設定しつつ側方入賞具を区画部材の延在方向に沿って配置し、上方に位置する延出部の側方であって下方に位置する延出部の上方に副釘植設領域を形成し、該副釘植設領域内に、下方に位置する側方入賞具に遊技球を流下誘導可能な釘を植設したことを特徴とする請求項１から請求項５のいずれかに記載の遊技機。
【発明の詳細な説明】
【０００１】
【発明の属する技術分野】
本発明は、パチンコ機や雀球遊技機などの遊技機に関するものである。
【０００２】
【従来の技術】
遊技球を使用した従来の遊技機、例えばパチンコ機にあっては、遊技領域のほぼ中央に設けたセンターケース内に液晶表示装置などの可変表示装置を配置し、遊技球が始動入賞口に入賞することを条件にして可変表示装置に数字等の識別表示を高速可変表示する別遊技（可変表示遊技）を行えるようにしたものが人気を呼んでいる。そして、この様なパチンコ機は、別遊技において停止した時の表示態様が７，７，７などの賞態様を成立させるか否かが注目されるので、近年、可変表示装置が大型化する傾向にあり、この大型化に伴ってセンターケースも大型化する。
【０００３】
さらに、可変表示装置の大型化のみならず、センターケース内における装飾効果を高めるために、装飾部品も大型化の傾向にあり、これもセンターケースの大型化に拍車をかけている。
【０００４】
【発明が解決しようとする課題】
ところで、センターケースを大型化すると、可変表示装置に表示する数字や絵柄などの視認性が高まり、また、装飾性が向上する一方で、遊技領域の大きさには限界があるので、釘に当たって流下方向を変更しながら遊技球が流下する領域が狭められてしまう。このため、遊技球が釘に当たって流下方向を変更しつつ転動し、その流下途中で入賞具に入賞するか否かを楽しむパチンコ遊技本来の楽しさを減殺してしまう不都合が生じる。特に、センターケースの左右両側方における遊技領域が狭められるので、この部分における遊技球の動きの変化が小さくなってしまう。
【０００５】
また、遊技領域の左右側縁部分にはサイドランプが配設されており、このサイドランプを排除したり小型化して遊技球が遊技領域の左右周縁部分まで到達できるようにしたとしても、この部分、あるいはその直ぐ下方に入賞具を設けることはできない。したがって、単にサイドランプを排除したり小型化して遊技領域の左右方向に遊技球が到達できるように構成したとしても、遊技領域の左右周縁部分まで到達した遊技球はそのまま入賞の機会が与えられることなくアウト口に回収されてしまうことになり、遊技の楽しさを補完することにはならない。
【０００６】
本発明は上記した事情に鑑み提案されたもので、その目的は、センターケースが大型化しても遊技領域の左右周縁部分の有効利用を図ることができ、しかもこの部分に到達した遊技球であっても入賞の機会が与えられる遊技機を提供しようとするものである。
【０００７】
【課題を解決するための手段】
本発明は上記目的を達成するために提案されたもので、請求項１に記載のものは、遊技盤の表面に区画部材により遊技領域を区画形成し、該遊技領域内の略中央部分にセンターケースを、該センターケースよりも下方に入賞具を、センターケースの下部両側方であって遊技領域の周縁部にサイドランプ部材をそれぞれ配設するとともに、該サイドランプ部材、センターケース、入賞具の取付部分を除いた遊技領域内に釘を複数本植設し、遊技領域の上部に飛入した遊技球が釘に当たりながら流下し、その流下途中で入賞具に入賞可能な遊技機において、
上記サイドランプ部材は、遊技盤表面に取り付ける取付基板と、該取付基板の前面に設けられたレンズ部材と、該レンズ部材の後方に設けられた発光源と、取付基板の上部に突設されて上面が遊技領域の中央下部に向かって下り傾斜した案内樋と、該案内樋の下方であって遊技領域中央側に延出した取付基板の延出部に設けられた側方入賞具と、を備え、
サイドランプ部材の案内樋の傾斜下端から遊技領域の中央下部に向けて複数本の釘を、遊技球が落下したり止まることなく列設方向に流下する間隔で植設して球流下案内釘列を構成し、
上記側方入賞具とレンズ部材の側面との間隔を遊技球の直径よりも広く設定することにより、取付基板上の当該間隔内を通る球流下路を形成し、
上記球流下案内釘列の傾斜下端の横に遊技球が落下し得る球流下空部を形成するとともに、該球流下空部内を落下した遊技球を誘導する釘を植設可能な釘植設領域を上記側方入賞具の上端と案内樋の傾斜下端との間に形成したことを特徴とする遊技機である。
なお、遊技球が落下するとは、遊技球が釘に支持されることなく重力により自由に流下すること意味する。
【０００８】
請求項２に記載のものは、前記レンズ部材について、前面から遊技領域側の側面を経て取付基板表面に一連に続く面が断面形状略Ｓ字状の曲面で構成されていることを特徴とする請求項１に記載の遊技機である。
【０００９】
請求項３に記載のものは、前記案内樋を取付基板と一体成型し、該案内樋の下方に、別個に成型したレンズ部材を取り付けたことを特徴とする請求項１または請求項２に記載の遊技機である。
【００１０】
請求項４に記載のものは、前記案内樋の傾斜上端を取付基板の側縁よりも突出させ、該突出部を区画部材に当接させた状態でサイドランプ部材を遊技盤に取り付けたことを特徴とする請求項１から請求項３のいずれかに記載の遊技機である。
【００１１】
請求項５に記載のものは、左右幅が最大となる遊技領域の周縁部分に案内樋を位置させるとともに、球流下案内釘列の傾斜下端の下方に側方入賞具を配置し、釘植設領域内に、球流下案内釘列の傾斜下端から落下した遊技球を上記側方入賞具に流下誘導可能な釘を植設したことを特徴とする請求項１から請求項４のいずれかに記載の遊技機である。
【００１２】
請求項６に記載のものは、前記取付基板に、区画部材の延在方向に沿って前記延出部を複数形成し、各延出部に、レンズ部材の側面との間隔を遊技球の直径よりも広く設定しつつ側方入賞具を区画部材の延在方向に沿って配置し、上方に位置する延出部の側方であって下方に位置する延出部の上方に副釘植設領域を形成し、該副釘植設領域内に、下方に位置する側方入賞具に遊技球を流下誘導可能な釘を植設したことを特徴とする請求項１から請求項５のいずれかに記載の遊技機である。
【００１３】
【発明の実施の形態】
以下、代表的な遊技機であるパチンコ機を例に挙げて本発明の実施の形態を図面に基づいて説明する。
図１はパチンコ機１の正面図、図２はパチンコ機１の遊技盤２の正面図である。
【００１４】
パチンコ機１は、図１に示すように、大きな開口部を有する額縁状前面枠３の裏面に遊技盤２を着脱可能に装着し、該遊技盤２の前方にはガラス枠４のガラスを配置し、開閉パネル５に設けられた上皿６に遊技球を投入して、遊技者が前面の発射操作ハンドル７を操作すると、前面枠３の裏側に設けられた球発射装置と球供給機構（図示せず）が作動して上皿６内の遊技球を１個ずつ遊技盤２表面の遊技領域９内に向けて発射し、遊技領域９内に飛入した遊技球が釘に当たりながら流下し、流下途中で入賞具に入賞すると球排出ユニット（図示せず）が作動して遊技球を上皿６側に賞球として排出し、いずれの入賞具にも入賞しないで遊技領域９の下端まで流下した遊技球はアウト口１０からアウト球として回収されるように構成されている。
【００１５】
遊技盤２は、図２に示すように、矩形の板材であり、表面に、金属帯板からなる略横Ｃ字状の第１ガイドレール１１を左側に止着するとともに、この第１ガイドレール１１の内側に打球通路１２となる所定の間隔を空けて略半円弧状の第２ガイドレール１３を止着し、上記第１ガイドレール１１の上端部分に連続する円弧面１７を下面に有する横長なプラスチック製上部材１８を遊技盤上部に止着し、上記ガイドレール１３の右端部分に連続する円弧面１４を左側に有する縦長なプラスチック製側部材１５を遊技盤右側に止着し、該側部材１５の円弧面１４の上端と上記上部材１８の円弧面１７の右端部との間にゴム材１６を介在させて接続し、第１ガイドレール１１、第２ガイドレール１３、上部材１８の円弧面１７、及び側部材１５の円弧面１４で略円形に区画された遊技領域９を区画形成する。そして、該遊技領域９のほぼ中央上半寄りにセンターケース２０を配置し、該センターケース２０の開口窓部２１内に液晶表示装置などの可変表示装置２２の表示面を臨ませて設け、センターケース２０の下方に、可変表示装置始動用の始動入賞口２３を、その左右に普通図柄表示装置始動用の通過ゲート２４を配置し、これら入賞具２３，２４の下方に大入賞口２５を配置し、センターケース２０の下部両側方であって遊技領域９の左右周縁にサイドランプ部材２６を配置し、始動入賞口２３、通過ゲート２４、大入賞口２５などの入賞具やセンターケース２０などの取付部分（すなわち占有部分）を除いた遊技領域９内に釘（障害釘）を植設するとともに所謂風車２７を配置する。
なお、本実施形態では、第１，第２ガイドレール１１，１３、上部材１８、及び側部材１５が本発明の区画部材として機能する。
【００１６】
センターケース２０は、図２及び図３に示すように、中央部分に矩形の開口窓部２１を開設した枠材であり、遊技盤２表面に取り付ける取付基板３０の上部に、左右全幅に亘って庇状の鎧部３１を前方に突設し、該鎧部３１の左右傾斜端部から下方に縦長な側壁部３２を突設し、左右の側壁部３２の下端同士を接続する状態で案内棚３３を突設し、上記鎧部３１、左右側壁部３２、及び案内棚３３に囲まれた部分に開口窓部２１を開設してある。そして、鎧部３１は、上面が中央の振り分け凸部３４から左右方向に向けて緩やかに下り傾斜している。したがって、遊技領域９の上部に飛入した遊技球は、センターケース２０の鎧部３１の上面に流下すると、図３に示すように、左側あるいは右側に振り分けられることとなり、第２ガイドレール１３の上端近傍部分とセンターケース２０の左端との間、または側部材１５の円弧面１４の上端近傍部分とセンターケース２０の右端との間の狭い遊技領域９を流下する。
【００１７】
従来のパチンコ機においては、センターケースにより狭められた遊技領域の上部を通った遊技球は、釘の配置によりセンターケース下方に流下するように構成されており、また、遊技領域の左右の周縁近傍まで流下したとしても入賞の機会が望めない構造（すなわち、その下方に入賞具が配置できない）で構成されていたために、遊技者からすれば遊技球の行方に対する興味が薄れてしまっていた。
【００１８】
ところが、本発明では、前記した狭い遊技領域９を通った遊技球が遊技領域９の左右周縁まで広い範囲に亘って流下し、しかもそれでも入賞する機会があるように構成されているので、遊技者が遊技球の行方に注目して、パチンコ遊技本来の楽しさを味わうことができる。
【００１９】
次に、このための構成について説明する。
【００２０】
まず、サイドランプ部材２６について説明するが、遊技領域９の左右にそれぞれ配設されたものは、左右対称であって基本的な構造は同じであるので、左側のサイドランプ部材２６を例に挙げて説明する。
【００２１】
図４及び図５に示すように、サイドランプ部材２６は、遊技盤２の表面に取り付ける取付基板３５と、該取付基板３５の前面に設けられたレンズ部材３６と、該レンズ部材３６の後方に設けられた発光源としてのランプ３７、取付基板３５の上部に突設されて上面が遊技領域９の中央下部に向かって下り傾斜した案内樋３８と、該案内樋３８の下方であって遊技領域９中央側に延出した取付基板３５の延出部３９に設けられた側方入賞具４０とを備えている。
【００２２】
取付基板３５は、遊技領域９の周縁、すなわちガイドレール１１の円弧形状に対応させて緩やかな略円弧形状に彎曲した縦長な板材であり、上部（上端から少し下がった位置）に案内樋３８を一体成型し、該案内樋３８の下方の部分に、レンズ部材３６を装着するレンズ用開口部４１を複数開設するとともに、隣り合うレンズ用開口部４１の境及び下端に遮光性の仕切り壁４２を取付基板３５の幅方向に立設し、また、円弧の内側の周縁から遊技領域９中央側に向けて水平辺と垂直辺に囲まれた略直角三角形の延出部３９を２箇所延設し、各延出部３９に側方入賞具用開口部４３を開設し、該側方入賞具用開口部４３にポケット状の側方入賞具４０を取り付け、側方入賞具４０には入賞球検出器４４をそれぞれ設けて入賞した遊技球を検出するように構成されている。なお、前記した仕切り壁４２は、後述するレンズ部材３６の断面形状と同じ形状に形成され、レンズ部材３６を取り付けた状態で各レンズ部材３６の表面と凹凸がなく、遊技球の流下に支障がないようにしてある。また、レンズ用開口部４１の内周側には装飾用の凹凸部が一体成型されている。
【００２３】
案内樋３８は、上面が遊技領域９の下部中央に向けて下り傾斜した棚板状の部材であり、傾斜上端が取付基板３５の外側側縁よりも１〜２ｍｍ突出し、傾斜下端が取付基板３５の内側側縁に位置している。そして、この案内樋３８は、取付基板３５と一体成型されて、レンズ部材３６とは別個なので、遊技球が当たった時の衝撃をレンズ部材３６に伝え難い。
【００２４】
レンズ部材３６は、取付基板３５とは別個に成型され、後面が開口した透光性プラスチック製の略円弧状彎曲箱体であり、外周側の側面４６が取付基板３５の外周縁の曲率と同じ曲率で彎曲し、取付基板３５の内周縁の曲率と同じ曲率で形成した内周側の縁には、前記した装飾用凹凸部に対応した凸凹部を形成し、外周側側面４６の上端を始点として前面から遊技領域９側の側面を経て取付基板３５表面に一連に続く面４７が断面形状略Ｓ字状の曲面で構成され、上記内周側の縁近傍の山裾状の凹曲面が後述する球流下路４８（図８参照）を区画する面となり、上記外周側側面４６及びＳ字状曲面４７の端縁で囲まれた空部を前記仕切り壁４２と同じ形状の端面壁４９で閉塞している。なお、本実施形態ではサイドランプ部材２６にレンズ部材３６を４つ取り付けるが、この４つのレンズ部材３６はすべて色彩を異ならせて、レンズ部材３６毎に発光源を設けて異なる色彩で輝くようにしてある。
【００２５】
上記したレンズ部材３６を取付基板３５に取り付けるには、図５に示すように、レンズ部材３６を取付基板３５の表側からレンズ用開口部４１内に嵌合し、レンズ部材３６から後方に向けて一体成型した係止爪片５０を取付基板３５の係止部（図示せず）に係止する。そして、取付基板３５の後方からランプ基板５１を取り付けるとともにランプ基板５１の後方からカバー材５２を被せ、ランプ基板５１に設けられている発光源としてのランプ３７をレンズ部材３６の後方に配置する。したがって、ランプ３７が発光すると、この光が前方のレンズ部材３６を透過して輝き、装飾効果を発揮することができ、しかも隣り合うレンズ部材３６は仕切り壁４２により遮光されているので、隣りのランプ３７で光ることもなく、明瞭な発光装飾効果が期待できる。
【００２６】
また、レンズ部材３６を取付基板３５に取り付けると、図８に示すように、各側方入賞具４０とレンズ部材３６の遊技領域９側の側面との間隔を遊技球の直径よりも広く設定してあるので、取付基板３５上の当該間隔内に球流下路４８が形成される。
【００２７】
なお、各レンズ部材３６は、取付基板３５に対して多少ガタがある状態で取り付け、遊技球が当接した際の衝撃をガタで緩衝し、取付基板３５に直接衝撃が伝達されないように構成されている。
【００２８】
この様な構成から成るサイドランプ部材２６を遊技盤２の表面に取り付けるには、遊技領域９の左右幅が最大となる高さに案内樋３８を位置させ、取付基板３５から外側に突出している案内樋３８の傾斜上端（つまり突出部）を第２ガイドレール１３の内周面、あるいは側部材１５の円弧面１４に当接する。そして、この様にしてサイドランプ部材２６をセンターケース２０の下部両側方であって遊技領域９の左右周縁部分に配置したならば、取付基板３５の上端、下端、及び上延出部３９に開設してある止着孔５５内にネジ等の止着部材を挿入して固定する。この様にして配置された案内樋は３８はセンターケース２０の案内棚３３に対して高い位置となり、この案内樋３８により遊技球を案内棚３３側にも誘導可能となる。
【００２９】
サイドランプ部材２６を遊技盤２の表面に固定すると、案内樋３８の傾斜上端が区画部材である第２ガイドレール１３や側部材１５の円弧面１４に当接しているので、取付基板３５の外周縁の曲率と区画部材の曲率を合わせる煩わしさも解消される。
【００３０】
また、サイドランプ部材２６を遊技盤２の表面に固定すると、図１及び図２に示す本実施形態においては、センターケース２０の左右に位置する遊技領域９に関して、左右の周縁まで遊技球が流下可能となり、また、この左右周縁近傍の遊技領域９に流下した遊技球にも入賞の機会が与えられるので、遊技領域９が実質的に左右に拡張されて有効利用可能となる。すなわち、センターケース２０の側方の遊技領域９には、流下してきた遊技球をセンターケース２０下方に誘導するために複数本の釘を斜めに植設した釘列６０が配置されているが、この釘列６０の上端と下端に遊技球が通過可能な空部６１，６２が形成されているので、釘列６０の上の空部６１を通過した遊技球が遊技領域９の左右周縁まで流下可能であり、また、釘列６０の下の空部６２を通過した遊技球も遊技領域９の左右周縁まで流下可能であり、特に下の空部６２の下方には、遊技球の流下方向を不規則に変換するいわゆる風車２７が配置されているので、上記釘列６０に誘導されて流下してきた遊技球がセンターケース２０の下方に流下方向を変えたり、あるいは遊技領域９の左右周縁に向けて流下方向を変えたりして、遊技球の行方に球技者の意識を惹くことができる。
【００３１】
そして、遊技領域９の左右周縁まで或いはその近傍まで流下してきた遊技球に入賞の機会を付与するために、本発明においては、サイドランプ部材２６の案内樋３８の傾斜下端から遊技領域９の中央下部に向けて複数本の釘を、球が落下したり止まらない間隔で並べて植設し、これにより球流下案内釘列６３を構成するとともに、球流下案内釘列６３の傾斜下端の横に遊技球が流下し得る球流下空部６４を形成し、球流下案内釘列６３および上記案内樋３８による球の案内（誘導）により、遊技球がサイドランプ部材２６に設けた側方入賞具４０や始動入賞口２３などに入賞したり、あるいはセンターケース２０の下方の釘で弾けてセンターケース２０の案内棚３３上に載って中央流出部３３´から始動入賞口２３に向けて案内される機会を与えている。また、このために、本発明においては、球流下空部６４内を流下した遊技球を誘導する釘を植設可能な釘植設領域６５を側方入賞具４０の上端と案内樋３８の傾斜下端との間に形成し、この釘植設領域６５内に、側方入賞具４０に遊技球を誘導可能な釘を植設し、さらに球流下空部６４を飛び越して流下した遊技球を始動入賞口２３などに誘導する誘導釘列６６を下方中央側に向けて下り傾斜させた状態で植設してある。
【００３２】
具体的に説明すると、図９に示すように、上側方入賞具４０ａの直上左右に一対の命釘６７を球径より僅かに広い間隔で植設し、球流下空部６４の外側の縁の下に遊技球を上記命釘６７側または遊技領域９周縁側に誘導可能な振り分け釘６８を植設し、該振り分け釘６８の内側（遊技領域９中央寄り）には命釘６７側に誘導された遊技球が確実に命釘６７，６７の間に誘導されるように案内する案内釘６９を植設する。即ち、これらの各釘により、球流下空部６４と側方入賞具４０ａとの間に球案内路（領域）を形成している。
【００３３】
したがって、遊技領域９の左右周縁あるいはその近傍まで流下した遊技球は、案内樋３８及び球流下案内釘列６３により遊技領域９の中央側に向けて案内されながら流下し、球流下案内釘列６３の傾斜下端から球流下空部６４内を落下して流下方向を変更した遊技球は、振り分け釘６８により遊技領域９の周縁側あるいは側方入賞具４０ａ側に振り分けられ、側方入賞具４０ａ側に振り分けられた遊技球は案内釘６９に案内されて側方入賞具４０ａに入賞する。一方、遊技領域９の周縁側に振り分けられた遊技球は、側方入賞具４０ａとレンズ部材３６との間の球流下路４８を通って流下し、そのまま流下してアウト口１０に回収される。この球流下路４８は、球が一列で通過できる幅でしかないが、レンズ部材３６の表面がＳ字状の曲面で構成されているので、複数の遊技球が競合しながら流下しても、上記曲面に案内されて遊技球が前方（ガラス側）に逃げられるので、これにより球が止まることを防止できる。
【００３４】
また、球流下空部６４を飛び越して球誘導釘列６６上を流下する遊技球は、遊技領域９の中央下部に配設されている始動入賞口２３などの入賞具に入賞したり、あるいはセンターケース２０の下方の釘で弾けてセンターケース２０の案内棚３３上に載って中央流出部３３´から始動入賞口２３に向けて案内される機会が与えられる他に、サイドランプ部材２６の下方に配設された下側方入賞具４０ｂに入賞する機会も与えられる。
【００３５】
このため、誘導釘列６６の傾斜下端の横に副球流下空部７０を形成し、この副球流下空部７０を落下した遊技球が下方に配置された側方入賞具４０ｂに入賞可能としてある。具体的には、前記したように、サイドランプ部材２６の取付基板３５に、区画部材の延在方向に沿って延出部３９を２つ形成し、各延出部３９に、レンズ部材３６の側面との間隔を遊技球の直径よりも広く設定しつつ側方入賞具４０ａ、４０ｂを区画部材の延在方向に沿って配置し、上方に位置する延出部３９ａの側方であって下方に位置する延出部３９ｂの上方に副釘植設領域７１を形成し、該副釘植設領域７１内に、側方入賞具４０ｂに遊技球を流下誘導可能な釘を植設してあるので、副球流下空部７０と側方入賞具４０ｂとの間に球誘導路（領域）が形成され、この釘の誘導で副球流下空部７０を通った遊技球を側方入賞具４０ｂに入賞させることができる。
【００３６】
副釘植設領域７１に植設する釘は、側方入賞具４０ｂの直上に左右一対植設した命釘７３の他に、副球流下空部７０と命釘７３との間に、遊技球を上記命釘７３側または遊技領域９中央寄りに誘導可能に植設された振り分け釘７４、外側の命釘７３の斜め上に遊技球を命釘７３，７３の間に案内するように植設された案内釘７５などがある。
【００３７】
この様に、本実施形態によるパチンコ機１においては、センターケース２０が大型化しても遊技領域９の左右周縁部分まで遊技球が流下できるようにして、限られた大きさの遊技領域９の有効利用を図ることができ、しかもこの部分に到達した遊技球であってもサイドランプ部材２６に設けた案内樋３８とその傾斜下端から遊技領域９の中央側に向けて植設した球流下案内釘列６３とで遊技球を案内して側方入賞具４０などへの入賞の機会を与えらることができる。したがって、遊技球が釘に当たって流下方向を変更しつつ転動し、その流下途中で入賞具に入賞するか否かを楽しむパチンコ遊技本来の楽しみを遊技者に与えることができる。
【００３８】
ところで、今回開示した実施の形態は、全ての点で例示であって制限的なものではないと考えられるべきである。よって、本発明は、上記実施の形態に限定されず、本発明の範囲は上記した説明ではなくて特許請求の範囲によって示され、特許請求の範囲と均等の意味および内容の範囲での全ての変形、変更が含まれることが意図される。
【００３９】
例えば、センターケース２０は、可変表示装置２２を内側に設けるものに限定されるものではなく、遊技領域９のほぼ中央部分に配置されるケースであれば良い。したがって、センター役物といわれる入賞装置のケースを含むものである。
また、発光源はランプに限らず発光ダイオードなどでもよい。
なお、前記した実施形態ではパチンコ機１を例に挙げたが、本発明に係る遊技機はこれに限定されるものではなく、例えば雀球遊技機、アレンジボール式遊技機など遊技球を使用する遊技機であればよい。
【００４０】
【発明の効果】
以上説明したように本発明によれば、以下の効果を奏する。
請求項１の発明によれば、サイドランプ部材の上部に、上面が遊技領域の中央下部に向かって下り傾斜した案内樋を設け、該案内樋の傾斜下端から遊技領域の中央下部に向けて球流下案内釘列を植設し、案内樋の下方であって遊技領域中央側に延出した取付基板の延出部に側方入賞具を設け、上記球流下案内釘列の傾斜下端の横に遊技球が落下し得る球流下空部を形成するとともに、該球流下空部内を落下した遊技球を誘導する釘を植設可能な釘植設領域を上記側方入賞具の上端と案内樋の傾斜下端との間に形成したので、センターケースの大型化に伴ってその側方の遊技領域が狭められても、そこを流下した遊技球を遊技領域の左右周縁あるいはその近傍まで遊技球を流下させることができ、しかもこの部分に流下した遊技球に入賞の機会を与えることができる。
したがって、センターケースの大型化によりその側方の遊技領域が狭められても遊技の楽しさが減殺されることを防止することができる。
そして、側方入賞具とレンズ部材の側面との間隔を遊技球の直径よりも広く設定して、取付基板上の当該間隔内を通る球流下路を形成したので、遊技領域の左右周縁まで流下してきた遊技球の流下に支障を来すことがない。
【００４１】
請求項２の発明によれば、レンズ部材は、前面から遊技領域側の側面を経て取付基板表面に一連に続く面が断面形状略Ｓ字状の曲面で構成されているので、レンズ部材と側方入賞具との間に形成した球流下路の幅が狭くても、この球流下路に遊技球が止まったり詰まったりするトラブルを防止できる。
【００４２】
請求項３の発明によれば、案内樋を取付基板と一体成型し、該案内樋の下方に、別個に成型したレンズ部材を取り付けたので、遊技球が案内樋に繰り返し落下しても、その際の衝撃をレンズ部材に伝わることを和らげることができる。
【００４３】
請求項４の発明によれば、案内樋の傾斜上端を取付基板の側縁よりも突出させ、該突出部を区画部材に当接させた状態でサイドランプ部材を遊技盤に取り付けるので、取付基板の外周縁と区画部材との曲率を高い精度で合わせ必要がなく、製造が容易であって体裁も良くなる。
【００４４】
請求項５の発明によれば、左右幅が最大となる遊技領域の周縁部分に案内樋を位置させるとともに、球流下案内釘列の傾斜下端の下方に側方入賞具を配置し、釘植設領域内に、球流下案内釘列の傾斜下端から落下した遊技球を上記側方入賞具に流下誘導可能な釘を植設したので、遊技球を遊技領域の左右周縁まで流下させても、この遊技球に入賞の機会があることが遊技者にとって分かり易く、また、入賞の機会を増やし易い。
【００４５】
請求項６の発明によれば、取付基板に、区画部材の延在方向に沿って前記延出部を複数形成し、各延出部に、レンズ部材の側面との間隔を遊技球の直径よりも広く設定しつつ側方入賞具を区画部材の延在方向に沿って配置し、下方に位置する延出部の上方に副釘植設領域を形成し、該副釘植設領域内に、側方入賞具に遊技球を流下誘導可能な釘を植設したので、遊技領域の左右側縁まで流下した遊技球に対して一層入賞の機会を与え易い。
【図面の簡単な説明】
【図１】パチンコ機の正面図である。
【図２】遊技盤の正面図である。
【図３】センターケースの斜視図である。
【図４】サイドランプ部材の斜視図である。
【図５】サイドランプ部材の分解斜視図である。
【図６】サイドランプ部材の正面図である。
【図７】サイドランプ部材の側面図である。
【図８】サイドランプ部材の平面図である。
【図９】サイドランプ部材の上方の遊技領域の拡大正面図である。
【符号の説明】
１　パチンコ機
２　遊技盤
３　前面枠
４　ガラス枠
５　開閉パネル
６　上皿
７　発射操作ハンドル
９　遊技領域
１０　アウト口
１１　第１ガイドレール
１２　打球通路
１３　第２ガイドレール
１４　円弧面
１５　側部材
１６　ゴム材
１７　円弧面
１８　上部材
２０　センターケース
２１　開口窓部
２２　可変表示装置
２３　始動入賞口
２４　通過ゲート
２５　大入賞口
２６　サイドランプ部材
２７　風車
３０　取付基板
３１　鎧部
３２　側壁部
３３　案内棚
３３´　中央流出部
３４　振り分け凸部
３５　取付基板
３６　レンズ部材
３７　ランプ
３８　案内樋
３９　延出部
４０　側方入賞具
４１　レンズ用開口部
４２　仕切り壁
４３　側方入賞具用開口部
４４　入賞球検出器
４６　レンズ部材の外周側の側面
４７　Ｓ字状の面
４８　球流下路
４９　端面壁
５０　係止爪片
５１　ランプ基板
５２　カバー材
５５　止着孔
６０　釘列
６１，６２　空部
６３　球流下案内釘列
６４　球流下空部
６５　釘植設領域
６６　誘導釘列
６７　命釘
６８　振り分け釘
６９　案内釘
７０　副球流下空部
７１　副釘植設領域
７３　命釘
７４　振り分け釘
７５　案内釘
【図１】
2004016491.tif 000003
【図２】
2004016491.tif 000004
【図３】
2004016491.tif 000005
【図４】
2004016491.tif 000006
【図５】
2004016491.tif 000007
【図６】
2004016491.tif 000008
【図７】
2004016491.tif 000009
【図８】
2004016491.tif 000010
【図９】
2004016491.tif 000011